(57)【特許請求の範囲】
【請求項１】
第一の充電モード及び第二の充電モードを有するアダプタであって、
２次フィルター手段を含み、入力された交流電流を変換し、前記アダプタの出力電圧及び出力電流を取得するための電力変換手段と、
前記２次フィルター手段に接続され、前記アダプタが前記第一の充電モードで動作する場合に、前記２次フィルター手段に動作させ前記アダプタに一定の直流電流を出力させるように制御し、前記アダプタが前記第二の充電モードで動作する場合に、前記２次フィルター手段に動作を停止させ前記アダプタに交流電流或いは脈動電流を出力させるように制御するための制御手段と、を含む
ことを特徴とするアダプタ。
【請求項２】
前記アダプタが前記第二の充電モードで被充電機器を充電する速度は、前記アダプタが前記第一の充電モードで前記被充電機器を充電する速度よりも速い、
前記制御手段は、前記アダプタが被充電機器に接続されている時に、前記被充電機器と双方向通信し、前記第二の充電モードでの前記アダプタの出力を制御することを特徴とする請求項１に記載のアダプタ。
【請求項３】
前記制御手段は、前記被充電機器と双方向通信し、前記第二の充電モードでの前記アダプタの出力を制御することは、
前記制御手段は、前記被充電機器と双方向通信し、前記アダプタと前記被充電機器との間の充電モードを特定することを含むことを特徴とする請求項２に記載のアダプタ。
【請求項４】
前記制御手段は、前記被充電機器と双方向通信し、前記アダプタと前記被充電機器との間の充電モードを特定することは、
前記制御手段は、前記被充電機器が前記第二の充電モードを開始するか否かを問い合わせるための第一のコマンドを前記被充電機器に送信すること、
前記制御手段は、前記被充電機器が送信した、前記被充電機器が前記第二の充電モードの開始を許可するか否かを示すための前記第一のコマンドの応答コマンドを受信すること、
前記制御手段は、前記被充電機器が前記第二の充電モードの開始を許可する場合に、前記第二の充電モードで前記被充電機器を充電することを含む
ことを特徴とする請求項３に記載のアダプタ。
【請求項５】
前記制御手段は、前記被充電機器と双方向通信し、前記第二の充電モードでの前記アダプタの出力を制御することは、
前記制御手段は、前記被充電機器と双方向通信し、前記第二の充電モードでの前記アダプタの出力すべき、前記被充電機器を充電するための充電電圧を特定すること、
前記制御手段は、前記アダプタの出力電圧と、上記特定された前記第二の充電モードでの前記アダプタの出力すべき、前記被充電機器を充電するための充電電圧とが等しいように、前記アダプタの出力電圧を調整することを含む
ことを特徴とする請求項２乃至４のいずれか一つに記載のアダプタ。
【請求項６】
前記制御手段は、前記被充電機器と双方向通信し、前記第二の充電モードでの前記アダプタが出力した、前記被充電機器を充電するための充電電圧を特定することは、
前記制御手段は、前記アダプタの出力電圧が前記被充電機器の電池の現在電圧とマッチングしているか否かを問い合わせる第二のコマンドを前記被充電機器に送信すること、
前記制御手段は、前記被充電機器が送信した、前記アダプタの出力電圧が前記電池の現在電圧に比べてマッチングしているか、高すぎるか或いは低すぎるかを示すための前記第二のコマンドの応答コマンドを受信することを含む
ことを特徴とする請求項５に記載のアダプタ。
【請求項７】
前記制御手段は、前記被充電機器と双方向通信し、前記第二の充電モードでの前記アダプタの出力を制御することは、
前記制御手段は、前記被充電機器と双方向通信し、前記第二の充電モードでの前記アダプタの出力すべき、前記被充電機器を充電するための充電電流を特定すること、
前記制御手段は、前記アダプタの出力電流と、上記特定された前記第二の充電モードでの前記アダプタの出力すべき、前記被充電機器を充電する充電電流とが等しいように、前記アダプタの出力電流を調整することを含む
ことを特徴とする請求項２乃至６のいずれか一つに記載のアダプタ。
【請求項８】
前記制御手段は、前記被充電機器と双方向通信し、前記第二の充電モードでの前記アダプタの出力すべき、前記被充電機器を充電するための充電電流を特定することは、
前記制御手段は、前記被充電機器が現在許容する最大充電電流を問い合わせるための第三のコマンドを前記被充電機器に送信すること、
前記制御手段は、前記被充電機器が送信した、前記被充電機器が現在許容する最大充電電流を示すための前記第三のコマンドの応答コマンドを受信すること、
前記制御手段は、前記被充電機器が現在許容する最大充電電流に従って、前記第二の充電モードでの前記アダプタが出力すべき、前記被充電機器を充電するための充電電流を特定することを含む
ことを特徴とする請求項７に記載のアダプタ。
【請求項９】
前記制御手段は、前記被充電機器と双方向通信し、前記第二の充電モードでの前記アダプタの出力を制御することは、
前記制御手段は、前記第二の充電モードで充電する際に、前記被充電機器と双方向通信し、前記アダプタの出力電流を調整することを含む
ことを特徴とする請求項２乃至８のいずれか一つに記載のアダプタ。
【請求項１０】
前記制御手段は、前記被充電機器と双方向通信し、前記アダプタの出力電流を調整することは、
前記制御手段は、前記被充電機器の電池の現在電圧を問い合わせるための第四のコマンドを前記被充電機器に送信すること、
前記制御手段は、前記アダプタが送信した、前記電池の現在電圧を示すための前記第四のコマンドの応答コマンドを受信すること、
前記制御手段は、前記電池の現在電圧に従って、前記アダプタの出力電流を調整することを含む
ことを特徴とする請求項９に記載のアダプタ。
【請求項１１】
前記アダプタは、充電インタフェースを含み、
前記制御手段は、前記充電インタフェースにおけるデータ線により前記被充電機器と双方向通信する
ことを特徴とする請求項２乃至１０のいずれか一つに記載のアダプタ。
【請求項１２】
前記第二の充電モードでは、前記アダプタの出力電流が脈動電流であることを特徴とする請求項１乃至１１いずれか一つに記載のアダプタ。
【請求項１３】
前記第二の充電モードでは、前記アダプタの出力電圧及び出力電流を被充電機器の電池の両端に直接印加し、前記電池を直接充電することを特徴とする請求項１乃至１２のいずれか一つに記載のアダプタ。
【請求項１４】
２次フィルター手段を含み、入力された交流電流を変換し、アダプタの出力電圧及び出力電流を取得する電力変換手段を含むアダプタに適用される充電制御方法であって、
前記アダプタが第一の充電モードで動作する場合に、前記アダプタの２次フィルター手段を動作させ前記アダプタに一定の直流電流を出力させるように制御し、
前記アダプタが第二の充電モードで動作する場合に、前記２次フィルター手段に動作を停止させ前記アダプタに交流電流或いは脈動電流を出力させるように制御する、
ことを特徴とする充電制御方法。
【請求項１５】
前記アダプタが前記第二の充電モードで被充電機器を充電する速度は、前記アダプタが前記第一の充電モードで前記被充電機器を充電する速度よりも速い、
前記アダプタは、被充電機器に接続される際に、前記被充電機器と双方向通信し、前記第二の充電モードでの前記アダプタの出力を制御することをさらに含む
ことを特徴とする請求項１４に記載の充電制御方法。
【発明の詳細な説明】
【技術分野】
【０００１】
本発明に係る実施例は、充電分野に関し、特に、アダプタ及び充電制御方法に関する。
【背景技術】
【０００２】
アダプタは、電源アダプタとも称し、被充電機器（例えば端末）を充電するものである。現在、市販のアダプタは、定電圧で被充電機器（例えば端末）を充電することが多い。被充電機器における電池は、一般的にリチウム電池であるため、定電圧で被充電機器を充電することは、リチウム析出現象が生じやすく、電池の寿命が低下してしまう。
【発明の概要】
【発明が解決しようとする課題】
【０００３】
本発明に係る実施例は、電池のリチウム析出現象を減少させ、電池使用の寿命を向上させるアダプタ及び充電制御方法を提供する。
【課題を解決するための手段】
【０００４】
第一の側面は、第一の充電モード及び第二の充電モードを有するアダプタであって、２次フィルター手段を含み、入力された交流電流を変換し前記アダプタの出力電圧及び出力電流を取得するための電力変換手段と、前記２次フィルター手段に接続され、前記アダプタが前記第一の充電モードで動作する場合に、前記２次フィルター手段を動作させ前記アダプタに一定の直流電流を出力させるように制御し、前記アダプタが前記第二の充電モードで動作する場合に、前記２次フィルター手段に動作を停止させ前記アダプタに交流電流或いは脈動電流を出力させるように制御するための制御手段を含む、アダプタが提供される。
【０００５】
第二の側面は、２次フィルター手段を含み、入力された交流電流を変換し前記アダプタの出力電圧及び出力電流を取得するための電力変換手段を含むアダプタに適用される充電制御方法であって、前記アダプタが前記第一の充電モードで動作する場合に、前記２次フィルター手段を動作させ前記アダプタに一定の直流電流を出力させるように制御し、前記アダプタが前記第二の充電モードで動作する場合に、前記２次フィルター手段に動作を停止させ、前記アダプタに交流電流或いは脈動電流を出力させるように制御する、充電制御方法が提供される。
【０００６】
本発明に係る実施例のアダプタは、交流電流や脈動電流を出力して電池を充電する時に、電池のリチウム析出現象を抑制させ、充電インタフェースにおける電気接点のアーク発生の確率及び強さを減少させ、充電インタフェースの寿命を向上させることができる。また、本発明に係る実施例のアダプタは、異なる充電モード間に円滑に切り替えることもできる。
【図面の簡単な説明】
【０００７】
本発明に係る実施例の技術案を明確に説明するために、以下に本発明に係る実施例に記載される図面を簡単に説明するが、以下に記載される図面は本発明の幾つかの実施例に過ぎず、当業者にとって進歩性を有する工夫を必要としないことを前提として、これらの図面に基づいて他の図面を取得できることも明らかである。
【０００８】
【図１】本発明の一つの実施例における第二のアダプタの構成模式図である。
【図２Ａ−２Ｂ】本発明に係る実施例の脈動波形の模式図である。
【図３】本発明のもう一つの実施例における第二のアダプタの構成模式図である。
【図４】本発明のもう一つの実施例における第二のアダプタの構成模式図である。
【図５Ａ】本発明に係る実施例の第二のアダプタと被充電機器との接続方式の模式図である。
【図５Ｂ】本発明に係る実施例の急速充電の通信過程の模式図である。
【図６】脈動電流の電流波形の模式図である。
【図７】本発明に係る実施例の定電流モードでの脈動電流の模式図である。
【図８】本発明に係る実施例の充電制御方法のフロー図である。
【発明を実施するための形態】
【０００９】
以下に、本発明に係る実施例の図面に基づいて、本発明に係る実施例の技術案を明確かつ完全に説明するが、説明される実施例は、本発明の実施例の全てではなく、その一部であることが明らかである。当業者が、本発明の実施例に基づいて、進歩性を有する工夫を必要としないことを前提として取得した他の実施例の全ても、本発明の保護範囲に属される。
【００１０】
関連技術として、被充電機器（例えば端末）を充電するための第一のアダプタが開示する。この第一のアダプタは、定電圧モードで動作していく。定電圧モードでは、この第一のアダプタの出力電圧が基本に一定に維持され、例えば、５Ｖ、９Ｖ、１２Ｖ或いは２０Ｖなどの電圧が維持される。
【００１１】
この第一のアダプタの出力電圧は、電池の両端へそのまま印加するのには適しておらず、被充電機器（例えば端末）内の変換回路によって変換しておくことで、被充電機器（例えば端末）内の電池の所望の充電電圧及び／又は充電電流を得る必要がある。
変換回路は、電池の所望の充電電圧及び／又は充電電流の要求を満たすように、第一のアダプタが出力した電圧を変換するためのものである。
【００１２】
一例としては、この変換回路は、例えば、充電の集積回路（ｉｎｔｅｇｒａｔｅｄｃｉｒｃｕｉｔ、ＩＣ）の充電管理モジュールであって、電池を充電する際に、電池の充電電圧及び／又は充電電流を管理するためのものである。この変換回路は、電池の充電電圧及び／又は充電電流の管理を実現するために、電圧フィードバックモジュールの機能、及び／又は、電流フィードバックモジュールの機能を有する。
【００１３】
例示すると、電池の充電過程は、トリクル充電段階、定電流充電段階及び定電圧充電段階の一つ或いは複数を含むことができる。変換回路は、トリクル充電段階に、電流フィードバック回路により、トリクル充電段階に電池を流れる電流に電池の所望の充電電流の大きさ（例えば、第一の充電電流）を満たさせることができる。変換回路は、定電流充電段階に、電流フィードバック回路により、定電流充電段階に電池を流れる電流に電池の所望の充電電流の大きさ（例えば、第一の充電電流よりも大きい第二の充電電流）を満たさせることができる。変換回路は、定電圧充電段階に、電圧フィードバック回路により、定電圧充電段階に電池の両端に印加される電圧に電池の所望の充電電圧の大きさを満たさせることができる。
【００１４】
一例としては、変換回路は、第一のアダプタの出力電圧が電池の所望の充電電圧よりも大きい場合に、第一のアダプタの出力電圧を降圧処理し、降圧された充電電圧に電池の所望の充電電圧の要求を満たさせるためのものである。他の一つ示例としては、変換回路は、第一のアダプタの出力電圧が電池の所望の充電電圧よりも小さい場合に、第一のアダプタの出力電圧を昇圧処理し、昇圧された充電電圧に電池の所望の充電電圧の要求を満たさせるためのものである。
【００１５】
他の一例としては、第一のアダプタが定電圧を５Ｖ出力することを例示すると、変換回路（例えば、Ｂｕｃｋの降圧回路）は、電池に単セル（リチウム電池のセルを例示すると、単セルは、充電の終止電圧が４．２Ｖである）を含むときに、第一のアダプタの出力電圧を降圧処理し、降圧された充電電圧に電池の所望の充電電圧要求を満たさせるためのものである。
【００１６】
他の一例としては、第一のアダプタが定電圧を５Ｖ出力することを例示すると、変換回路（例えば、Ｂｏｏｓｔ昇圧回路）は、第一のアダプタにより二つ以上の単セルが直列接続される電池（リチウム電池のセルを例示すると、単セルは、充電終止電圧が４．２Ｖである）を充電するときに、第一のアダプタの出力電圧を昇圧処理し、昇圧された充電電圧に電池の所望の充電電圧の要求を満たさせるためのものである。
【００１７】
変換回路は、回路変換効率の低下により制限を受けることで、変換されなかった分の電気エネルギーが熱量の形で散逸するようになり、この分の熱量は、被充電機器（例えば端末）の内部に溜まってしまう。その一方、被充電機器（例えば端末）は、その設計空間及び放熱空間が、いずれも小さく（例えば、利用者が用いるモバイル端末の物理サイズがますます薄型軽量化していくと同時に、モバイル端末の性能を向上させるために、モバイル端末内に大量の電子部品を密集させて配置している）、これは、変換回路の設計難易度が増加するだけではなく、被充電機器（例えば端末）内に溜まった熱量がタイムリーに放出し難くなり、更には、被充電機器（例えば端末）の異常に繋がる。
【００１８】
例えば、変換回路に溜まった熱量は、変換回路付近の電子部品に熱干渉して、電子部品の動作異常を引き起こしてしまう可能性がある。また、変換回路に溜まった熱量は、変換回路及びその付近の電子素子の寿命を短縮させる可能性がある。変換回路に溜まった熱量は、電池に熱干渉して、更には、電池の充放電異常を引き起こしてしまう可能性がある。また、変換回路に溜まった熱量は、被充電機器（例えば端末）の温度を上昇させて、使用者の充電時での使用体験に影響してしまう可能性がある。また、変換回路に溜まった熱量は、変換回路自体を短絡させて、第一のアダプタにより出力された電圧を電池の両端にそのまま印加して充電異常を引き起こしてしまう可能性がある。電池は、長時間に亘って過電圧充電にある場合に、引いては、電池の爆発を引き起こしてしまう恐れがあり、一定の安全リスクがある。
【００１９】
本発明に係る実施例は、出力電圧が調整可能な第二のアダプタを提供する。この第二のアダプタは、電池の状態情報を取得することができる。電池の状態情報は、電池の現在の電力量情報及び／又は電圧情報を含むことができる。この第二のアダプタは、取得された電池の状態情報に基づいて第二のアダプタ自体による出力電圧を調整し、電池の所望の充電電圧及び／又は充電電流の要求を満たさせる。さらに、電池充電過程における定電流充電段階では、第二のアダプタにより調整して出力された電圧を電池の両端に直接印加し電池を充電することができる。
【００２０】
この第二のアダプタは、電池の充電電圧及び／又は充電電流の管理を実現するために、電圧フィードバックモジュールの機能及び電流フィードバックモジュールの機能を有することができる。
【００２１】
この第二のアダプタは、取得された電池の状態情報に基づいて第二のアダプタ自体による出力電圧を調整することは、この第二のアダプタがリアルタイムに電池の状態情報を取得し、リアルタイムに取得された電池の状態情報毎に基づいて第二のアダプタ自体による出力電圧を調整し、電池の所望の充電電圧及び／又は充電電流を満たさせることを意味してもよい。
【００２２】
この第二のアダプタは、リアルタイムに取得された電池の状態情報に基づいて第二のアダプタ自体による出力電圧を調整することは、充電過程に電池電圧が次第に上昇するに伴い、第二のアダプタが充電過程における異なる時刻に現在の電池の状態情報を取得し、現在の電池の状態情報に基づいて第二のアダプタ自体による出力電圧をリアルタイムに調整し、電池の所望の充電電圧及び／又は充電電流の要求を満たさせることを意味してもよい。
【００２３】
例示すると、電池の充電過程は、トリクル充電段階、定電流充電段階及び定電圧充電段階の一つ或いは複数を含むことができる。トリクル充電段階では、第二のアダプタが、電流フィードバック回路によりトリクル充電段階に第二のアダプタにより出力されかつ電池を流れる電流に電池の所望の充電電流の要求（例えば第一の充電電流）を満たさせる。定電流充電段階では、第二のアダプタが、電流フィードバック回路により定電流充電段階に第二のアダプタにより出力されかつ電池を流れる電流に電池の所望の充電電流の要求（例えば、第一の充電電流よりも大きい第二の充電電流）を満たさせる。かつ、定電流充電段階では、第二のアダプタが、出力された充電電圧を電池の両端に直接印加し電池を充電する。定電圧充電段階では、第二のアダプタが、電圧フィードバック回路により定電圧充電段階に第二のアダプタにより出力された電圧に電池の所望の充電電圧の要求を満たさせる。
【００２４】
トリクル充電段階及び定電圧充電段階では、第二のアダプタの出力電圧を、第一のアダプタと類似する処理方式により処理してもよく、言い換えれば、被充電機器（例えば端末）内の変換回路により変換し、被充電機器（例えば端末）内の電池の所望の充電電圧及び／又は充電電流を取得してもよい。
【００２５】
図１は、本発明に係る実施例の第二のアダプタの構成模式図である。図１の第二のアダプタ１０は、電力変換手段１１及び制御手段１２を含む。
【００２６】
電力変換手段１１は、入力された交流電流を変換し、第二のアダプタ１０の出力電圧及び出力電流を取得するためのものである。この電力変換手段１１は、２次フィルター手段を含む。
【００２７】
制御手段１２は、２次フィルター手段に接続され、第二のアダプタ１０が第一の充電モードで動作する場合に、２次フィルター手段を動作させ第二のアダプタ１０に一定の直流電流を出力させるように制御し、第二のアダプタが第二の充電モードで動作する場合に、２次フィルター手段に動作を停止させ第二のアダプタ１０に交流電流或いは脈動電流を出力させるように制御する。
【００２８】
選択的に、ある実施例において、前記第一の充電モードは、定電圧モードであってもよい。
【００２９】
選択的に、ある実施例において、前記第二の充電モードは、定電流モードであってもよい。
【００３０】
本発明に係る実施例の第二のアダプタは、交流電流或いは脈動電流を出力して電池を充電するときに、電池のリチウム析出現象を減少させ、充電インタフェースの電気接点のアーク発生の確率及び強さを低下させ、充電インタフェースの寿命を向上させることができる。又は、本発明に係る実施例の第二のアダプタは、異なる充電モードに円滑に切り替えることができる。
【００３１】
上記のように、第二のアダプタは、第二の充電モードで交流電流或いは脈動電流（即ち、脈動波形の電流）を出力することができる。ここで、脈動波形は、完全な脈動波形であってもよいし、完全な脈動波形をピークカット処理したものであってもよい。ピークカット処理は、脈動波形におけるある閾値を超えたものをカットし、脈動波形ピークの制御を実現する。図２Ａに示された実施例では、脈動波形が完全なものであり、図２Ｂに示された実施例では、脈動波形がピークカット処理後のものである。
【００３２】
理解すべきことは、第二のアダプタ１０が第一の充電モードで動作する時に、２次フィルター手段が正常に動作し、電力変換手段１１の１次が２次に結合される電流は、整流された後に、２次フィルター手段によりフィルタリング処理され、一定の直流電流（或いは、電流値が穏やかである電流と称し）として出力される。第二のアダプタ１０が第二の充電モードで動作する時に、２次フィルター手段が動作を停止する。幾つかの実施例では、電力変換手段１１の１次が２次に結合される電流を直接出力したら、或いは、簡単な処理を行って出力したら、第二のアダプタ１０の出力電流が交流電流となる。他の実施例では、電力変換手段１１の１次が２次に結合される電流を整流し、整流された電流を簡単な処理を行って出力し、この時に第二のアダプタ１０の出力電流が脈動電流となる。
【００３３】
本発明に係る実施例の第二のアダプタ１０は、被充電機器（例えば端末）を充電することができる。本発明に係る実施例に採用される被充電機器は、「通信端末」（或いは単に端末と称し）であってもよく、有線線路を介して接続され（例えば、公衆交換電話網（ｐｕｂｌｉｃ  ｓｗｉｔｃｈｅｄ  ｔｅｌｅｐｈｏｎｅｎｅｔｗｏｒｋ，ＰＳＴＮ）、デジタル加入者線（ｄｉｇｉｔａｌ  ｓｕｂｓｃｒｉｂｅｒ  ｌｉｎｅ，ＤＳＬ）、デジタルケーブルを介して接続され、直接にケーブルを介して接続され、及び／又は、他のデータ接続／ネットワークを介して接続され）及び／又は（例えば、セルラーネットワーク、無線ＬＡＮ（ｗｉｒｅｌｅｓｓ  ｌｏｃａｌ  ａｒｅａ  ｎｅｔｗｏｒｋ，ＷＬＡＮ）における例えば携帯機器向けの地上デジタルテレビ放送（ｄｉｇｉｔａｌｖｉｄｅｏｂｒｏａｄｃａｓｔｉｎｇｈａｎｄｈｅｌｄ、ＤＶＢ−Ｈ）ネットワークに対するデジタル放送ネットワーク、衛星ネットワーク、周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ，ＡＭ−ＦＭ）放送送信器、及び／又は、他の通信端末）無線インタフェースを介して、通信信号を受送信するように設置された装置を含むが、それらに限定されていない。無線インタフェースを介して通信するように設置された通信端末は、「無線通信端末」、「無線端末」及び／又は「携帯端末」とも称する。携帯端末は、例示すると、衛星或いはセルラー携帯を含むが、それらに限定されていない。セルラー無線携帯と、データ処理、ファクス及びデータ通信能力とを組み合わせるパーソナル通信システム（ｐｅｒｓｏｎａｌ  ｃｏｍｍｕｎｉｃａｔｉｏｎ  ｓｙｓｔｅｍ，ＰＣＳ）端末であってもよいし、無線携帯、無線呼び出し、インターネットやイントラネットアクセス、Ｗｅｂブラウザ、ノートブック、カレンダー及び／又は全地球測位システム（ｇｌｏｂａｌ  ｐｏｓｉｔｉｏｎｉｎｇ  ｓｙｓｔｅｍ，ＧＰＳ）受信器の個人情報端末（Ｐｅｒｓｏｎａｌ  Ｄｉｇｉｔａｌ  Ａｓｓｉｓｔａｎｔ，ＰＤＡ）を含んでもよいし、ラップトップ型及び／又は携帯型の受信器や無線携帯の受送信器を含む他の電子装置であってよい。
【００３４】
ある実施例では、第二のアダプタ１０は、充電インタフェースを含んでもよい。本発明に係る実施例は、充電インタフェースの種類について詳しい限定がなく、例えば、ユニバーサルシリアルバス（Ｕｎｉｖｅｒｓａｌ  ＳｅｒｉａｌＢｕｓ、ＵＳＢ）インタフェースであってもよい。前記ＵＳＢインタフェースは、標準のＵＳＢインタフェースであってもよいし、ｍｉｃｒｏＵＳＢインタフェースであってもよいし、Ｔｙｐｅ−Ｃインタフェースであってもよい。
【００３５】
幾つかの実施例では、制御手段１２は、充電の過程を制御し第二のアダプタの知能化レベルを向上させる。具体的に、この制御手段１２は、被充電機器（例えば端末）と双方向通信し、被充電機器（例えば端末）のコマンド、或いは、状態情報（例えば、被充電機器（例えば端末）電池の現在電圧、被充電機器（例えば端末）の温度等）を取得し、被充電機器（例えば端末）のコマンド或いは状態信号に基づいて第二のアダプタの充電過程を制御するためのものである。さらに、幾つかの実施例では、この制御手段１２は、マイクロ制御手段（ＭｉｃｒｏｃｏｎｔｒｏｌｌｅｒＵｎｉｔ、ＭＣＵ）であってもよい。しかしながら、本発明に係る実施例は、それに限定されておらず、制御手段１２が他の種類のチップ或いは回路であってもよい。
【００３６】
選択的に、幾つかの実施例では、２次フィルター手段は、コンデンサが固体コンデンサである。理解すべきことは、この固体コンデンサは一つ以上であってもよい。
【００３７】
さらに、前記の２次フィルター手段は、複数の固体コンデンサを含んでもよい。この複数の固体コンデンサは、いずれも第二のアダプタの２次母線及びグランドに接続されることができる。図３を例示すると、２次フィルター手段は、四つの固体コンデンサを含み、この四つの固体コンデンサが並列接続されている。理解すべきことは、図３における２次フィルター手段は一つ具体例に過ぎず、２次フィルター手段に含まれている固体コンデンサは、数量が他の数値であってもよい。本発明に係る実施例は、それに限定されていない。２次フィルター手段におけるコンデンサの総容量が一定である場合に、並列接続される複数の小容量コンデンサにより、コンデンサの等価抵抗及び等価インダクタンスを効果的に減少し、２次フィルター手段により出力された直流電流をより穏やかにすることができる。
【００３８】
また、２次フィルター手段におけるコンデンサの容量及び／又は数量は、第二のアダプタが第一の充電モードで出力を許可する最大電流により特定され得る。第一の充電モードでは、第二のアダプタが出力を許可する最大電流を大きくするために、２次フィルター手段におけるコンデンサの容量及び／又は数量を増やすことができる。
選択的に、幾つかの実施例では、第二のアダプタの出力電圧及び出力電流のノイズをフィルタリングするように、第二のアダプタのＶＢＵＳ端にも幾つかのセラミックコンデンサを接続することができる。
【００３９】
図４に示すように、制御手段１２は、電界効果トランジスタ（ＭＯＳＦＥＴ）を介して２次フィルター手段に接続される。図４では、電界効果トランジスタは、ゲート電極が制御手段１２に接続され、ソース電極が接地され、ドレイン電極が２次フィルター手段におけるコンデンサの一端に接続される。制御手段１２は、ＰＷＭ信号を出力することにより電界効果トランジスタをオン・オフに制御することができる。例えば、電界効果トランジスタは、ＰＷＭ信号がハイレベルである時に、ソース電極及びドレイン電極がオンとなり、２次フィルター手段が動作の状態となり、ＰＷＭ信号がローレベルである時に、ソース電極及びドレイン電極がオフとなり、２次フィルター手段が動作停止の状態となる。
【００４０】
理解すべきことは、本発明に係る実施例の制御手段１２は、ＰＷＭ信号以外の他の種類の信号により電界効果トランジスタをオン・オフに制御することもできる。前記電界効果トランジスタは、Ｎチャネルエンハンスメント電界効果トランジスタであってもよいし、他の種類の電界効果トランジスタであってもよい。また、制御手段１２は、スイッチの機能を図ることができる他のディバスにより２次フィルター手段を動作させるように制御できれば、本発明に係る実施例に限定されていない。
【００４１】
選択的に、幾つかの実施例では、第二のアダプタ１０が第一の充電モード及び第二の充電モードを有する。第二のアダプタ１０が第二の充電モードで被充電機器（例えば端末）を充電する速度は、第二のアダプタ１０が第一の充電モードで被充電機器（例えば端末）を充電する速度よりも速い。言い換えれば、第二の充電モードで動作する第二のアダプタ１０は、第一の充電モードで動作する第二のアダプタ１０に比べると、同じ容量である被充電機器（例えば端末）の電池を１００％充電するのに必要な時間がより短い。
【００４２】
第二のアダプタ１０は、第二のアダプタ１０が被充電機器（例えば端末）に接続される際に、被充電機器（例えば端末）と双方向通信し、第二の充電モードの充電過程を制御する制御手段を含む。この制御手段は、前記いずれか一つの実施例の制御手段であってもよいし、例えば、第一の調整手段における制御手段であってもよいし、第二の調整手段における制御手段であってもよい。
【００４３】
第一の充電モードは、普通充電モードであり、第二の充電モードは、急速充電モードである。この普通充電モードでは、第二のアダプタが比較的に小さい電流値（通常は、２．５Ａ未満）の電流を出力し、或いは、比較的に小さい電力（通常は、１５Ｗ未満）を出力し、被充電機器（例えば端末）の電池を充電する。普通充電モードでは、比較的に大容量の電池（例えば、容量が３０００ｍＡｈである電池）を１００％充電しようとすると、通常は幾つかの時間が必要となる。一方、急速充電モードでは、第二のアダプタが比較的に大きい電流（通常は２．５Ａよりも大きく、例えば、４．５Ａ、５Ａであるか、或いは、さらに高いもの）を出力し、或いは、比較的に大きい電力（通常は１５Ｗ以上）を出力し被充電機器（例えば端末）の電池を充電することができる。第二のアダプタは、普通充電モードに比べると、急速充電モードで同じ容量の電池を１００％充電するのに必要な充電時間が明らかに短くなり、充電速度がより速い。
【００４４】
本発明に係る実施例では、第二のアダプタの制御手段と被充電機器（例えば端末）との通信内容、及び、制御手段により第二の充電モードでの第二のアダプタの出力を制御する形態について具体的に限定されていない。例えば、制御手段は、被充電機器（例えば端末）と通信し、被充電機器（例えば端末）における電池の現在電圧或いは現在電力量を受送信し、電池の現在電圧或いは現在電力量に基づいて、第二のアダプタの出力電圧或いは出力電流を調整することができる。以下に、具体的な実施例に基づいて、制御手段と被充電機器（例えば端末）との間の通信内容、及び、制御手段により第二の充電モードでの第二のアダプタの出力を制御する形態について、詳しく説明する。
【００４５】
選択的に、幾つかの実施例では、制御手段が被充電機器（例えば端末）と双方向通信し、第二の充電モードでの第二のアダプタの出力を制御することは、制御手段は、被充電機器（例えば端末）と双方向通信し、第二のアダプタと被充電機器（例えば端末）との間の充電モードを特定することを含む。
【００４６】
本発明に係る実施例では、第二のアダプタは、むやみに第二の充電モードで被充電機器（例えば端末）を急速充電することなく、被充電機器（例えば端末）と双方向通信し、アダプタ第二の充電モードで被充電機器（例えば端末）を急速充電できるか否かを特定することができる。故に、充電過程の安全性を向上させることができる。
【００４７】
具体的に、制御手段は、被充電機器（例えば端末）と双方向通信し、第二のアダプタと被充電機器（例えば端末）との間の充電モードを特定することは、制御手段は、被充電機器（例えば端末）が第二の充電モードの開始を許可するか否かを問い合わせるための第一のコマンドを被充電機器（例えば端末）に送信すること、制御手段は、被充電機器（例えば端末）が送信した、被充電機器（例えば端末）が第二の充電モードの開始を許可するか否かを示すための前記第一のコマンドの応答コマンドを受信すること、制御手段は、被充電機器（例えば端末）が第二の充電モードの開始を許可する場合に、第二の充電モードで被充電機器（例えば端末）を充電することを含む。
【００４８】
本発明に係る実施例の前記説明は、第二のアダプタ（或いは、第二のアダプタの制御手段）と被充電機器（例えば端末）とのマスタ・スレーブが限定されていない。言い換えれば、制御手段と被充電機器（例えば端末）は、いずれかの一方がマスタ機器として双方向通信に会話し、相応に他方がスレーブ機器としてマスタ機器による通信に第一の応答や第一のレスポンスを行う。一つの可能な形態としては、通信過程において、第二のアダプタ側及び被充電機器（例えば端末）側のグランドに対するレベルの高さにより、マスタ機器とスレーブ機器の身分を特定することができる。
【００４９】
本発明に係る実施例は、第二のアダプタ（或いは、第二のアダプタの制御手段）と被充電機器（例えば端末）との間の双方向通信の具体的な実現形態が限定されていない。言い換えれば、第二のアダプタ（或いは、第二のアダプタの制御手段）と被充電機器（例えば端末）とは、いずれか一方がマスタ機器として通信に会話し、相応に他方がスレーブ機器としてマスタ機器による通信会話に第一の応答や第一のレスポンスを行うことができ、同時に、マスタ機器が、前記スレーブ機器による第一の応答或いは第一のレスポンスに第二の応答を行うと、マスタ機器とスレーブ機器との間に、充電モードの一回の協議過程が完了したと考えられる。一つの可能な実施形態としては、特定された充電過程を安全かつ確実に実行するのを確保するために、マスタ機器とスレーブ機器との間に充電モードの複数の協議過程が完了したら、マスタ機器とスレーブ機器との間の充電操作を行ってもよい。
【００５０】
通信会話に対する前記スレーブ機器の第一の応答、或いは、第一のレスポンスに基づいて第二の応答をマスタ機器が行う形態は、マスタ機器が、通信会話に対する前記スレーブ機器による第一の応答或いは第一のレスポンスを受信し、受信された前記スレーブ機器による第一の応答或いは第一のレスポンスに基づいて相応しい第二の応答を行うということである。例示すると、予め設定される時間内に通信会話に対する前記スレーブ機器による第一の応答或いは第一のレスポンスをマスタ機器が受信する場合に、前記スレーブ機器の第一の応答或いは第一のレスポンスに相応しい第二の応答をマスタ機器が行うことは、具体的に、マスタ機器とスレーブ機器との間に充電モードの一回の協議過程が完了したら、マスタ機器とスレーブ機器との間の協議結果に従って、第一の充電モード或いは第二の充電モードで充電操作を実行し、即ち、第二のアダプタが協議結果に従って第一の充電モード或いは第二の充電モードで動作し被充電機器（例えば端末）を充電する、ということである。
【００５１】
通信会話に対する前記スレーブ機器による第一の応答或いは第一のレスポンスに基づいて第二の応答をマスタ機器がさらに行う形態は、さらに、予め設定される時間内に、通信会話に対する前記スレーブ機器による第一の応答或いは第一のレスポンスをマスタ機器が受信しなかったとしても、前記スレーブ機器による第一の応答或いは第一のレスポンスに相応しい第二の応答をマスタ機器が行うということであってもよい。例示すると、予め設定される時間内に、通信会話に対する前記スレーブ機器による第一の応答或いは第一のレスポンスをマスタ機器が受信しなかったとしても、前記スレーブ機器による第一の応答或いは第一のレスポンスに相応しい第二の応答をマスタ機器が行うことは、具体的に、マスタ機器とスレーブ機器とに充電モードの一つの協議過程が完了したら、マスタ機器とスレーブ機器との間に第一の充電モードで充電操作を実行し、即ち、第二のアダプタが第一の充電モードで動作し、被充電機器（例えば端末）を充電するということである。
【００５２】
選択的に、幾つかの実施例では、被充電機器（例えば端末）は、マスタ機器として通信会話し、第二のアダプタ（或いは、第二のアダプタの制御手段）は、スレーブ機器として、マスタ機器による通信会話に第一の応答或いは第一のレスポンスを行った後、被充電機器（例えば端末）により第二のアダプタによる第一の応答或いは第一のレスポンスに相応しい第二の応答を行う必要がなくなり、第二のアダプタ（或いは第二のアダプタの制御手段）と被充電機器（例えば端末）との間に充電モードの一回の協議過程が完了したと考えられ、第二のアダプタが協議結果に従って第一の充電モード或いは第二の充電モードを特定し、被充電機器（例えば端末）を充電することができる。
【００５３】
選択的に、幾つかの実施例では、制御手段は、被充電機器（例えば端末）と双方向通信し、第二の充電モードでの第二のアダプタの出力を制御する過程は、制御手段は、被充電機器（例えば端末）と双方向通信し、第二の充電モードでの第二のアダプタが出力した、被充電機器（例えば端末）を充電するための充電電圧を特定すること、制御手段は、第二のアダプタの出力電圧（或いは、第二のアダプタの出力電圧のピーク）と、第二の充電モードでの第二のアダプタが出力した、被充電機器（例えば端末）を充電するための充電電圧と、が等しいように、第二のアダプタの出力電圧を調整することを含む。
【００５４】
具体的に、制御手段は、被充電機器（例えば端末）と双方向通信し、第二の充電モードでの第二のアダプタが出力した、被充電機器（例えば端末）を充電するための充電電圧を特定することは、制御手段は、第二のアダプタの出力電圧が被充電機器（例えば端末）の電池の現在電圧とマッチングしているか否かを問い合わせるための第二のコマンドを被充電機器（例えば端末）に送信すること、制御手段は、被充電機器（例えば端末）が送信した、第二のアダプタの出力電圧が電池の現在電圧に比べてマッチングしているか、高すぎるか或いは低すぎるかを示すための第二のコマンドの応答コマンドを受信することを含む。代わりに、第二のコマンドは、第二のアダプタの現在出力電圧を、第二の充電モードでの第二のアダプタが出力した、被充電機器（例えば端末）を充電するための充電電圧として適切であるか否かを問い合わせるためのものであり、第二のコマンドの応答コマンドは、現在の第二のアダプタの出力電圧が適切であるか、高すぎるか或いは低すぎるかを示すためのものである。第二のアダプタの現在出力電圧が電池の現在電圧とマッチングしていること、又は、第二のアダプタの現在出力電圧が第二の充電モードでの第二のアダプタが出力した、被充電機器（例えば端末）を充電するための充電電圧として適切であることは、第二のアダプタの現在出力電圧（或いは現在出力電圧のピーク）が電池の現在電圧よりも僅かに高く、かつ、第二のアダプタの出力電圧（或いは、現在出力電圧のピーク）と電池の現在電圧との間の電圧差が予め設定される範囲（通常は、数百ミリボルトのオーダー）に属されることを意味してもよい。
【００５５】
選択的に、幾つかの実施例では、制御手段は、被充電機器（例えば端末）と双方向通信し、第二の充電モードでの第二のアダプタの出力を制御する充電過程は、制御手段は、被充電機器（例えば端末）と双方向通信し、第二の充電モードでの第二のアダプタが出力した、被充電機器（例えば端末）を充電する充電電流を特定すること、制御手段は、第二のアダプタの出力電流（或いは、第二のアダプタの出力電流のピーク）と第二の充電モードでの第二のアダプタが出力した、被充電機器を充電する充電電流と、が等しいように、第二のアダプタの出力電流（或いは、第二のアダプタの出力電流のピーク）を調整することを含む。
【００５６】
具体的に、制御手段は、被充電機器（例えば端末）と双方向通信し、第二の充電モードでの第二のアダプタが出力した、被充電機器（例えば端末）を充電するための充電電流を特定することは、制御手段は、被充電機器（例えば端末）が現在許容する最大充電電流を問い合わせるための第三のコマンドを被充電機器（例えば端末）に送信すること、制御手段は、被充電機器（例えば端末）が送信した、被充電機器（例えば端末）が現在許容する最大充電電流を示すための第三のコマンドの応答コマンドを受信すること、制御手段は、被充電機器（例えば端末）が現在許容する最大充電電流に基づいて、第二の充電モードでの第二のアダプタが出力した、被充電機器（例えば端末）を充電するための充電電流を特定することを含む。理解すべきことは、制御手段は、被充電機器（例えば端末）が現在許容する最大充電電流に基づいて第二の充電モードでの第二のアダプタが出力した、被充電機器（例えば端末）を充電するための充電電流を特定する形態は、複数ある。例えば、第二のアダプタは、被充電機器（例えば端末）が現在許容する最大充電電流を、第二の充電モードでの第二のアダプタが出力した、被充電機器（例えば端末）を充電するための充電電流（或いは、充電電流のピーク）として特定してもよい。被充電機器（例えば端末）が現在許容する最大充電電流、及び、自体の電流出力の能力などの要素を総合的に判断する上で、第二の充電モードでの第二のアダプタが出力した、被充電機器（例えば端末）を充電するための充電電流を特定してもよい。
【００５７】
選択的に、幾つかの実施例では、制御手段は、被充電機器（例えば端末）と双方向通信し、第二の充電モードでの第二のアダプタの出力を制御する過程は、制御手段は、第二のアダプタが第二の充電モードで被充電機器（例えば端末）を充電する際に、被充電機器（例えば端末）と双方向通信し、第二のアダプタの出力電流を調整することを含む。
【００５８】
具体的に、制御手段は、被充電機器（例えば端末）と双方向通信し、第二のアダプタの出力電流を調整することは、制御手段は、被充電機器（例えば端末）の電池の現在電圧を問い合わせるための第四のコマンドを被充電機器（例えば端末）に送信すること、制御手段は、第二のアダプタが送信した、電池の現在電圧を示すための第四のコマンドの応答コマンドを受信すること、制御手段は、電池の現在電圧に基づいて、第二のアダプタの出力電流を調整することを含む。
【００５９】
選択的に、幾つかの実施例では、図５Ａに示すように、第二のアダプタ１０が充電インタフェース５１を含む。さらに、幾つかの実施例では、第二のアダプタ１０における制御手段は、充電インタフェース５１におけるデータ線５２により被充電機器（例えば端末）と双方向通信することができる。
【００６０】
選択的に、幾つかの実施例では、制御手段は、被充電機器（例えば端末）と双方向通信し、第二の充電モードでの第二のアダプタの出力を制御する過程は、制御手段は、被充電機器（例えば端末）と双方向通信し、充電インタフェースの接触が良好か否かを特定することを含む。
【００６１】
具体的に、制御手段が被充電機器（例えば端末）と双方向通信し、充電インタフェースの接触が良好か否かを特定することは、制御手段は、被充電機器（例えば端末）の電池の現在電圧を問い合わせるための第四のコマンドを被充電機器（例えば端末）に送信すること、制御手段は、被充電機器（例えば端末）が送信した、被充電機器（例えば端末）の電池の現在電圧を示すための第四のコマンドの応答コマンドを受信すること、制御手段は、第二のアダプタの出力電圧及び被充電機器（例えば端末）電池の現在電圧に基づいて、充電インタフェースの接触が良好か否かを特定することを含む。例えば、制御手段は、第二のアダプタの出力電圧及び被充電機器（例えば端末）の現在電圧の電圧差が予め設定された電圧閾値よりも大きいと特定した場合に、電圧差を第二のアダプタが出力した現在電流値で除算したインピーダンスが予め設定されたインピーダンス閾値よりも大きいことが分かり、充電インタフェースの接触が良くないと特定できる。
【００６２】
選択的に、幾つかの実施例では、充電インタフェースの接触が不良であることも、被充電機器（例えば端末）により特定され得る。被充電機器（例えば端末）は、制御手段により第二のアダプタの出力電圧を問い合わせるための第六のコマンドを送信し、被充電機器（例えば端末）は、制御手段が送信した、第二のアダプタの出力電圧を示すための第六のコマンドの応答コマンドを受信し、被充電機器（例えば端末）は、被充電機器（例えば端末）電池の現在電圧及び第二のアダプタの出力電圧に基づいて、充電インタフェースの接触が不良であるかを特定する。被充電機器（例えば端末）は、充電インタフェースの接触が不良であると特定した場合に、充電インタフェースの接触が不良であることを示すための第五のコマンドを被充電機器（例えば端末）が制御手段に送信する。制御手段は、第五のコマンドを受信した後に、第二のアダプタに第二の充電モードを終わらせるように制御することができる。
【００６３】
以下には、図５Ｂに基づいて、第二のアダプタの制御手段と被充電機器（例えば端末）との間の通信過程をより詳しく説明する。注意すべきことは、図５Ｂの例示が当業者に本発明に係る実施例に対する理解を助けるものに過ぎず、本発明に係る実施例を、例示される具体的な数値や具体的な場合に限定するものではない。示された図５Ｂの例示に基づいて同等の補正や変化を行うことも当業者にとって明らかであり、これらの補正や変化も本発明に係る実施例の範囲に属される。
【００６４】
図５Ｂに示すように、第二の充電モードでの第二のアダプタの出力により被充電機器（例えば端末）を充電する過程である充電過程は、以下の五つの段階を含む。
段階１
【００６５】
被充電機器（例えば端末）は、電源供給装置に接続された後に、データ線Ｄ＋、Ｄ−により電源供給装置の種類を検出し、電源供給装置が第二のアダプタであると検出した場合に、被充電機器（例えば端末）に受け取られる電流が、予め設定される電流閾値Ｉ２（例えば１Ａである）よりも大きくてもよい。第二のアダプタの制御手段は、予め設定された時間（例えば、継続するＴ１時間）に第二のアダプタの出力電流がＩ２以上であると検出した場合に、電源供給装置の種類に対する被充電機器（例えば端末）の識別を制御手段が完了したと判断でき、制御手段が第二のアダプタと被充電機器（例えば端末）との間の協議過程を開始、被充電機器（例えば端末）にコマンド１（前記第一のコマンドに対応する）を送信し、被充電機器（例えば端末）は、第二のアダプタが第二の充電モードで被充電機器（例えば端末）を充電することを許可するか否かを問い合わせる。
【００６６】
制御手段は、被充電機器（例えば端末）が送信したコマンド１の応答コマンドを受信し、かつ、このコマンド１の応答コマンドは、第二のアダプタにより第二の充電モードで被充電機器（例えば端末）を充電することを被充電機器（例えば端末）が許可しないことを示す場合に、制御手段は、第二のアダプタの出力電流を再度検出する。第二のアダプタの出力電流が予め設定される継続時間（例えば、継続するＴ１時間）に依然としてＩ２以上である場合に、制御手段が被充電機器（例えば端末）にコマンド１を再度送信し、第二のアダプタにより第二の充電モードで被充電機器（例えば端末）を充電することを被充電機器（例えば端末）が許可するか否かを問い合わせる。制御手段は、被充電機器（例えば端末）が第二のアダプタにより第二の充電モードで被充電機器（例えば端末）を充電することを許可し、或いは、第二のアダプタの出力電流がＩ２以上である条件を満たさなくなるまで、段階１の前記過程を繰り返す。
【００６７】
被充電機器（例えば端末）は、第二のアダプタにより第二の充電モードで被充電機器（例えば端末）を充電することを許可した後に、通信過程が第２の段階に移行する。
【００６８】
段階２
第二のアダプタの出力電圧は、複数のレベルを含んでもよい。制御手段は、被充電機器（例えば端末）にコマンド２（前記第二のコマンドに対応する）を送信し、第二のアダプタの出力電圧（現在の出力電圧）が被充電機器（例えば端末）電池の現在電圧とマッチングしているか否かを問い合わせる。
【００６９】
被充電機器（例えば端末）は、第二のアダプタの出力電圧が被充電機器（例えば端末）電池の現在電圧に比べてマッチングしているか、高すぎるか或いは低すぎるかを示すための送信コマンド２の応答コマンドを制御手段に送信する。コマンド２の応答コマンドは、第二のアダプタの出力電圧が高すぎるか或いは低すぎるかを示した場合に、制御手段は、第二のアダプタの出力電圧を他のレベルに調整し、コマンド２を被充電機器（例えば端末）に再度送信し、第二のアダプタの出力電圧と被充電機器（例えば端末）電池の現在電圧とがマッチングしているかを再度問い合わせる。第二のアダプタの出力電圧が被充電機器（例えば端末）電池の現在電圧とマッチングしていることを被充電機器（例えば端末）が特定するまで、段階２の前記過程を繰り返し、第３の段階に移行する。
【００７０】
段階３
制御手段は、コマンド３（前記第三のコマンドに対応する）を被充電機器（例えば端末）に送信し、被充電機器（例えば端末）が現在許容する最大充電電流を問い合わせる。被充電機器（例えば端末）は、被充電機器（例えば端末）が現在許容する最大充電電流を示すコマンド３の応答コマンドを制御手段に送信し、第４の段階に移行する。
【００７１】
段階４
制御手段は、被充電機器（例えば端末）が現在許容する最大充電電流に基づいて、第二の充電モードで第二のアダプタが出力した、被充電機器（例えば端末）を充電するための充電電流を特定し、段階５である定電流充電段階に移行する。
【００７２】
段階５
制御手段は、定電流充電段階に移行した後に、ある時間毎にコマンド４（前記第四のコマンドに対応する）を被充電機器（例えば端末）に送信し、被充電機器（例えば端末）の電池の現在電圧を問い合わせる。被充電機器（例えば端末）は、コマンド４の応答コマンドを制御手段に送信し、被充電機器（例えば端末）の電池の現在電圧をフィードバックする。制御手段は、被充電機器（例えば端末）の電池の現在電圧に基づいて、充電インタフェースの接触が良好か否かを判断し、また、第二のアダプタの出力電流を低くする必要があるかを判断する。第二のアダプタは、充電インタフェースの接触が不良であると判断した場合に、コマンド５（前記第五のコマンドに相当する）を被充電機器（例えば端末）に送信し、第二のアダプタに第二の充電モードを終わらせ、リセットして段階１に再度移行する。
【００７３】
選択的に、幾つかの実施例では、段階１において、被充電機器（例えば端末）がコマンド１の応答コマンドを送信するときに、この被充電機器（例えば端末）の回路インピーダンスのデータ（或いは情報）をコマンド１の応答コマンドに追加することができる。被充電機器（例えば端末）の回路インピーダンスデータは、段階５において充電インタフェースの接触が良好か否かを判断するためのものである。
【００７４】
選択的に、幾つかの実施例では、段階２において、被充電機器（例えば端末）が第二のアダプタにより第二の充電モードで被充電機器（例えば端末）を充電することを許可してから、制御手段が第二のアダプタの出力電圧を適切な充電電圧に調整するまでの必要な時間は、ある範囲に制御され得る。この時間が予め設定された範囲を超えると、第二のアダプタ或いは被充電機器（例えば端末）は、急速充電通信過程に異常が発生したと判断でき、リセットして段階１に再度移行する。
【００７５】
選択的に、幾つかの実施例では、段階２において、第二のアダプタの出力電圧が被充電機器（例えば端末）の電池の現在電圧よりもΔＶ（ΔＶは、２００〜５００ｍＶに設定され得る）高い場合に、被充電機器（例えば端末）は、第二のアダプタの出力電圧が被充電機器（例えば端末）の電池電圧とマッチングしていることを示すためのコマンド２の応答コマンドを制御手段に送信する。
【００７６】
選択的に、幾つかの実施例では、段階４において、第二のアダプタの出力電流を調整する速度をある範囲に制御するほうが良い。そうすれば、第二の充電モードでの第二のアダプタの出力は、調整の速度が速すぎることにより被充電機器（例えば端末）の充電過程に異常が発生してしまうことを避けることができる。
【００７７】
選択的に、幾つかの実施例では、段階５において、第二のアダプタの出力電流の変化度合いを５％以内に制御する。
【００７８】
選択的に、幾つかの実施例では、段階５において、制御手段がリアルタイムに充電回路の回路インピーダンスを検出する。具体的に、制御手段は、第二のアダプタの出力電圧、出力電流及被充電機器（例えば端末）がフィードバックした電池の現在電圧に基づいて、充電回路の回路インピーダンスを検出する。「充電回路の回路インピーダンス」＞「被充電機器（例えば端末）の回路インピーダンス＋充電ケーブルのインピーダンス」となる場合に、充電インタフェースの接触が不良となったと判断でき、第二の充電モードでの被充電機器（例えば端末）に対する第二のアダプタの充電を終わらせる。
【００７９】
選択的に、幾つかの実施例では、第二のアダプタが第二の充電モードで被充電機器（例えば端末）を充電することが始まった後に、制御手段と被充電機器（例えば端末）と間の通信時間の間隔をある範囲に制御するほうがよい。そうすれば、通信の間隔が短く過ぎることにより通信過程に異常が発生してしまうことを避けることができる。
【００８０】
選択的に、幾つかの実施例では、充電過程の停止（或いは、第二のアダプタが第二の充電モードで被充電機器（例えば端末）を受電する充電過程の停止）は、回復可能停止、及び、回復不可能停止に分けられている。
【００８１】
例えば、被充電機器（例えば端末）の電池が１００％充電されたこと或いは充電インタフェースの接触が不良であることを検出した場合に、充電過程が終わり、充電通信の過程がリセットし、充電過程が段階１に再度移行する。そして、被充電機器（例えば端末）は、第二のアダプタにより第二の充電モードで被充電機器（例えば端末）を充電することが不許可となり、通信過程が段階２に移行しない。この場合に、充電過程の停止は、回復不可能停止として見なされてもよい。
【００８２】
また、例えば、制御手段と被充電機器（例えば端末）との間に通信異常が発生してしまう場合に、充電過程が終わり、充電通信過程がリセットし、充電過程が段階１に再度移行する。段階１の要求が満たされた後に、被充電機器（例えば端末）は、第二のアダプタにより第二の充電モードで被充電機器（例えば端末）を充電することを許可し、充電過程を回復させる。この場合に、充電過程の停止は、回復可能停止として見なされてもよい。
【００８３】
また、例えば、被充電機器（例えば端末）は、電池に異常が発生してしまうことを検出した時に、充電過程が終わり、充電通信過程がリセットし、充電過程が段階１に再度移行する。そして、被充電機器（例えば端末）は、第二のアダプタが第二の充電モードで被充電機器（例えば端末）を充電することが不許可となる。電池が正常に回復され、かつ段階１の要求が満たされた後に、被充電機器（例えば端末）が第二のアダプタにより第二の充電モードで被充電機器（例えば端末）を充電することを許可する。この場合に、急速充電過程の停止は、回復可能停止として見なされてもよい。
【００８４】
以上に図５Ｂに示した通信過程或いは操作は、例示に過ぎない。例えば、段階１において、被充電機器（例えば端末）が第二のアダプタに接続された後に、被充電機器（例えば端末）により被充電機器（例えば端末）と制御手段との間のハンドシェイクの通信を行ってもよい。即ち、被充電機器（例えば端末）は、コマンド１を送信し、制御手段が第二の充電モードを開始するか否かを問い合わせする。被充電機器（例えば端末）は、制御手段の応答コマンドを受信し、制御手段は、第二のアダプタにより第二の充電モードで被充電機器（例えば端末）を充電することを許可する時に、第二の充電モードでの被充電機器（例えば端末）の電池に対する第二のアダプタの充電を開始する。
【００８５】
また、段階５後には、定電圧充電段階を含んでもよい。具体的に、段階５において、被充電機器（例えば端末）は、電池の現在電圧を制御手段にフィードバックし、電池の現在電圧が定電圧充電電圧の閾値に達した時に、充電段階が定電流充電段階から定電圧充電段階へ移行する。定電圧充電段階では、充電電流が次第に少なくなり、電流がある閾値まで降下した時に、充電過程全体が終わり、被充電機器（例えば端末）の電池が１００％充電されたのを表す。
【００８６】
選択的に、幾つかの実施例では、第二のアダプタは、アダプタ出力電流を被充電機器（例えば端末）の電池の両端に直接印加し、電池を直接充電する。
【００８７】
具体的に、直接充電とは、第二のアダプタの出力電圧及び出力電流を被充電機器（例えば端末）の電池の両端に直接印加し（或いは直接導出し）、被充電機器（例えば端末）の電池を充電し、途中で変換回路を介して第二のアダプタの出力電流或いは出力電圧を変換する必要が無くなり、変換の過程によるエネルギーの損失を避けることを意味する。第二の充電モードで充電する過程においては、充電回路の充電電圧或いは充電電流を調整できるように、第二のアダプタを知能性アダプタとして設置し、第二のアダプタにより充電電圧或いは充電電流への変換を実行する。そうすると、被充電機器（例えば端末）の負荷を減少させ、被充電機器の放熱量を少なくすることができる。
【００８８】
本発明に係る実施例の第二のアダプタ１０は、定電流モードで動作することができる。本願の定電流モードとは、第二のアダプタの出力電流を制御する充電モードを意味するが、第二のアダプタの出力電流を一定に維持する要求がない。実際に、第二のアダプタは、定電流モードで通常は多段階定電流充電の方式に従って充電する。
【００８９】
多段階定電流充電（Ｍｕｌｔｉ−ｓｔａｇｅ  ｃｏｎｓｔａｎｔ  ｃｕｒｒｅｎｔ  ｃｈａｒｇｉｎｇ）は、充電段階をＮ個（Ｎは、２以上の整数である）有する。多段階定電流充電では、予め設定される充電電流により第一の段階の充電を行う。前記多段階定電流充電におけるＮ個充電段階は、第一の段階から第（Ｎ−１）個の段階まで順番に実行され、充電段階の前の一つ充電段階から次の一つ充電段階へ移行された後に、充電電流値が小さくなり、電池電圧が充電完了電圧閾値に達した時に、充電段階の前の一つ充電段階から次の一つの充電段階へ移行する。
【００９０】
選択的に、幾つかの実施例では、第二の充電モードにおいて、第二のアダプタの出力電流が脈動電流（或いは一方向脈動する出力電流、或いは脈動波形の電流、或いは饅頭のような山型の波（饅頭状波）の波形電流と称し）であり、脈動電流の波形は、図６に示されている。
【００９１】
選択的に、幾つかの実施例では、第二のアダプタの出力電流が脈動電流である場合に、定電流モードが脈動電流のピーク或いは平均値を制御するものを指し、即ち、図７に示すように、第二のアダプタの出力電流のピークを、定電流モードに対応する電流を超えないように制御する。
【００９２】
選択的に、幾つかの実施例では、第二の充電モードにおいて、第二のアダプタの出力電流が交流電流であり、同様に、交流電流によりリチウムセルのリチウム析出現象を減少させ、セル使用の寿命を向上させることができる。
【００９３】
以上では、図１乃至図７に基づいて、本発明の装置に係る実施例を詳しく説明したが、以下に、図８に基づいて本発明に係る実施例の方法の実施例を詳しく説明する。理解すべきことは、方法に係る記載が装置に係る記載と互いに対応し、表現を簡潔にするように、重複されている記載が適切に省略される。
【００９４】
図８は、本発明に係る実施例の充電制御方法に基づくフロー図である。図８の方法は、例えば、上記の図１乃至図７に記載される第二のアダプタにより実行され得る。具体的に、この第二のアダプタは、２次フィルター手段を含み、入力された交流電流を変換し、第二のアダプタにより出力電圧及び出力電流を取得するための電力変換手段を含む。
図８の方法は、以下の動作を含む。
【００９５】
８１０、前記第二のアダプタが第一の充電モードで動作する場合に、前記第二のアダプタの２次フィルター手段に動作させ、前記第二のアダプタに一定の直流電流を出力させるように制御する。
【００９６】
８２０、前記第二のアダプタが第二の充電モードで動作する場合に、前記２次フィルター手段に動作を停止させ、前記第二のアダプタに交流電流或いは脈動電流を出力させるように制御する。
【００９７】
選択的に、幾つかの実施例では、前記２次フィルター手段は、コンデンサが固体コンデンサである。
【００９８】
選択的に、幾つかの実施例では、前記２次フィルター手段は、複数の固体コンデンサを含み、前記複数の固体コンデンサは、いずれも前記第二のアダプタの２次母線及びグランドに接続される。
【００９９】
選択的に、幾つかの実施例では、前記第二のアダプタは、前記第二の充電モードで被充電機器を充電する速度が、アダプタが前記第一の充電モードで前記被充電機器を充電する速度よりも速い。図８の方法は、前記第二のアダプタが被充電機器に接続されるステップにおいて、前記被充電機器と双方向通信し、前記第二の充電モードでの前記第二のアダプタの出力を制御することをさらに含む。
【０１００】
選択的に、幾つかの実施例では、前記の前記被充電機器と双方向通信し、前記第二の充電モードでの前記第二のアダプタの出力を制御するステップは、前記被充電機器と双方向通信し、前記第二のアダプタと前記被充電機器との間の充電モードを特定することを含む。
【０１０１】
選択的に、幾つかの実施例では、前記の前記被充電機器と双方向通信し、前記第二のアダプタと前記被充電機器との間の充電モードを特定することは、前記被充電機器が前記第二の充電モードを開始するか否かを問い合わせるための第一のコマンドを前記被充電機器に送信すること、前記被充電機器が送信した、前記被充電機器が前記第二の充電モードを許容するか否かを示すための前記第一のコマンドの応答コマンドを受信すること、前記被充電機器が前記第二の充電モードの開始を許可する場合に、前記第二の充電モードで前記被充電機器を充電することを含む。
【０１０２】
選択的に、幾つかの実施例では、前記の前記被充電機器と双方向通信し、前記第二の充電モードでの前記第二のアダプタの出力を制御するステップは、前記被充電機器と双方向通信し、前記第二の充電モードでの前記第二のアダプタが出力した、前記被充電機器を充電するための充電電圧を特定すること、前記第二のアダプタの出力電圧と前記第二の充電モードでの前記第二のアダプタが出力した、前記被充電機器を充電する充電電圧とが等しいように、前記第二のアダプタの出力電圧を調整することを含む。
【０１０３】
選択的に、幾つかの実施例では、前記の前記被充電機器と双方向通信し、前記第二の充電モードでの前記第二のアダプタが出力した、前記被充電機器を充電するための充電電圧を特定することは、前記第二のアダプタの出力電圧が前記被充電機器の電池の現在電圧とマッチングしているか否かを問い合わせるための第二のコマンドを前記被充電機器に送信すること、前記被充電機器が送信した、前記第二のアダプタの出力電圧が前記電池の現在電圧に比べてマッチングしているか、高すぎるか或いは低すぎるかを示すための前記第二のコマンドの応答コマンドを受信することを含む。
【０１０４】
選択的に、幾つかの実施例では、前記の前記被充電機器と双方向通信し、前記第二の充電モードでの前記第二のアダプタの出力を制御するステップは、前記被充電機器と双方向通信し、前記第二の充電モードでの前記第二のアダプタが出力した、前記被充電機器を充電する充電電流を特定すること、前記第二のアダプタの出力電流と前記第二の充電モードでの前記第二のアダプタが出力した、前記被充電機器を充電するための充電電流とが等しいように、前記第二のアダプタの出力電流を調整すること、を含む。
【０１０５】
選択的に、幾つかの実施例では、前記の前記被充電機器と双方向通信し、前記第二の充電モードでの前記第二のアダプタが出力した、前記被充電機器を充電する充電電流を特定することは、前記被充電機器が現在許容する最大充電電流を問い合わせるための第三のコマンドを前記被充電機器に送信すること、前記被充電機器が送信した、前記被充電機器が現在許容する最大充電電流を示すための前記第三のコマンドの応答コマンドを受信すること、前記被充電機器が現在許容する最大充電電流に基づいて前記第二の充電モードでの前記第二のアダプタが出力した、前記被充電機器を充電する充電電流を特定することを含む。
【０１０６】
選択的に、幾つかの実施例では、前記の前記被充電機器と双方向通信し、前記第二の充電モードでの前記第二のアダプタの出力を制御するステップは、前記第二の充電モードにより充電する際に、前記被充電機器と双方向通信し、前記第二のアダプタの出力電流を調整することを含む。
【０１０７】
選択的に、幾つかの実施例では、前記の前記被充電機器と双方向通信し、前記第二のアダプタの出力電流を調整することは、前記被充電機器の電池の現在電圧を問い合わせるための第四のコマンドを前記被充電機器に送信すること、前記第二のアダプタが送信した、前記電池の現在電圧を示すための前記第四のコマンドの応答コマンドを受信すること、前記電池の現在電圧に基づいて、前記第二のアダプタの出力電流を調整することを含む。
【０１０８】
選択的に、幾つかの実施例では、前記第二のアダプタは、充電インタフェースを含み、前記制御手段は、前記充電インタフェースのデータ線により前記被充電機器と双方向通信する。
【０１０９】
選択的に、幾つかの実施例では、前記第二の充電モードにおいて、前記第二のアダプタの出力電流が脈動電流である。
【０１１０】
選択的に、幾つかの実施例では、前記第二の充電モードにおいて、前記第二のアダプタの出力電流が交流電流である。
【０１１１】
選択的に、幾つかの実施例では、前記第二の充電モードにおいて、前記第二のアダプタの出力電圧及び出力電流は、前記被充電機器の電池の両端に直接印加され、前記電池が直接充電される。
【０１１２】
選択的に、幾つかの実施例では、前記第二のアダプタは、充電過程を制御するための制御手段を含み、前記制御手段は、マイクロ制御手段（ＭＣＵ）である。
【０１１３】
選択的に、幾つかの実施例では、前記第二のアダプタは、充電インタフェースを含み、前記充電インタフェースは、ユニバーサルシリアルバス（ＵＳＢ）のインタフェースである。
【０１１４】
理解すべきことは、本願の「第一のアダプタ」及び「第二のアダプタ」が、説明を便宜にするためのものであるが、本発明に係る実施例のアダプタの具体的な種類を限定するためのものではない。
【０１１５】
本願に開示される実施例に基づいて記載される各例示の手段やアルゴリズムの処理過程が、電子ハードウェア或いはコンピュータープログラムと電子ハードウェアとの組み合わせにより実現され得ることは、当業者とって明らかである。これらの機能は、ハードウェアにより実行されるか或いはソフトウェアにより実行されるかについて、技術案の特定の応用場合や設計の制限条件などによって決められる。当業者は、特定応用ごとに、異なる方法により記載される機能を実現できるが、これらの実現は、本発明の範囲を超えてならない。
【０１１６】
当業者とっては、説明を便宜且つ簡潔にするように、前記記載のシステム、装置、及び手段の具体的な動作の過程について、前記方法の実施例の対応する過程を参照することが理解可能であるため、ここで省略する。
【０１１７】
本願の提供する幾つかの実施例では、開示されるシステム、装置及び方法が他の形態により実現され得ると理解するべきである。例えば、上記に説明された装置の実施例は、例示するためのものに過ぎない。例えば、前記手段の分離は、ロジックの機能に基づくものに過ぎず、実際に実現するときに別の分離形態を有してもよい。例えば、複数の手段或いは部品を組み合わせ、また、別のシステムに集積し、或いは、若干の特徴を省略し、或いは実行しなくてもよい。さらに、提示されたり検討されたりする相互の結合や直接結合や通信接続は、インタフェース、装置或いは手段の間接の結合や通信接続であってもよいし、電気、機械や他の形態であってもよい。
【０１１８】
前記分離部品として説明された手段は、物理的に分離してもよいし、分離しなくてもよい。即ち、一つの箇所に設置してもよいし、複数のネットワーク手段に設置してもよい。実際の要求に応じて手段の一部や全部を選択して本実施例の技術案の目的を実現することができる。
【０１１９】
また、本発明に係る各実施例の各機能手段は、一つの処理手段に集積してもよいし、各手段として単独に物理に存在してもよいし、二つ以上手段として一つの手段に集積してもよい。
【０１２０】
前記機能は、ソフトウェアの機能手段として実現され、かつ、独立の製品として販売されたり使用されたりする場合、コンピュータ読み取り可能な記録媒体に記憶されてもよい。この理解によれば、本発明の技術案について、本質的な部分、或いは、従来技術に貢献できた部分或いは該技術案の一部は、ソフトウェアの製品として表現されえる。このコンピュータープログラムの製品は、記憶媒体に記憶されており、一つのコンピュータ（パソコン、サーバー、或いはネットワーク機器などであってもよい）に本発明の各実施例に係る前記方法の全部或いは一部の過程を実行するための複数のコマンドが含まれている。前記した記憶媒体は、フラッシュメモリー、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク或いは光ディスクなどの各種のプログラムコードを記憶可能な媒体を含むことができる。
【０１２１】
以上に説明されたのは、本発明の具体実施形態に過ぎず、本発明の保護範囲がそれに限定されていない。如何なる本技術分野を熟知する当業者は、本発明が開示した技術範囲に、容易に変化や置換を想到でき、何れも本発明の保護範囲に属されている。故に、本発明の保護範囲は、本願の請求項の保護範囲に基づく。
【図１】
0006503138.tif 000002
【図２Ａ】
0006503138.tif 000003
【図２Ｂ】
0006503138.tif 000004
【図３】
0006503138.tif 000005
【図４】
0006503138.tif 000006
【図５Ａ】
0006503138.tif 000007
【図５Ｂ】
0006503138.tif 000008
【図６】
0006503138.tif 000009
【図７】
0006503138.tif 000010
【図８】
0006503138.tif 000011